(57)【要約】【課題】飲料を飲むための開口を形成する。【解決手段】容器本体及び容器本体に密封接合されたフタ材を備えた密封容器と、密封容器上に配置されたキャップとを具備し、該キャップが、フタ材を破り、飲料を飲むための開口を形成するための機構を備えている。【選択図】　　　　図１
2004099112.tif 000002
【特許請求の範囲】
【請求項１】
容器本体及び容器本体に密封接合されたフタ材を備えた密封容器と、密封容器上に配置されたキャップとを具備し、
該キャップが、フタ材を破り、飲料を飲むための開口を形成するための機構を備えていることを特徴とする飲料が充填されている飲料容器。
【請求項２】
該キャップが筒状の飲み口部を有し、該キャップが該密封容器に対して移動することによって、該キャップの飲み口部が該密封容器の該フタ材を破り、該飲み口部から密封容器内の飲料を飲むことができる請求項１の飲料容器。
【請求項３】
該キャップが該密封容器の中心軸線の周りを回転し、しかる後押し下げられることによって、該キャップの飲み口部が該密封容器の該フタ材を破る請求項２の飲料容器。
【請求項４】
該キャップが該密封容器の中心軸線の周りを回転し同時に押し下げられることによって、該キャップの飲み口部が該密封容器の該フタ材を破る請求項２の飲料容器。
【請求項５】
該キャップが該密封容器に固定されており、該キャップの一部が押し下げられることによって、該フタ材が破られて、該キャップ及びが射フタ材に開口部が形成されることによって、飲み口部が形成される請求項１の飲料容器。
【発明の詳細な説明】
【０００１】
【産業上の利用分野】
本発明は、飲料が充填された飲料容器、特に、容器本体及び容器本体に密封接合されたフタ材を備えた密封容器と、密封容器上に配置されたキャップとを有する飲料容器に関する。
【０００２】
【従来技術及びその課題】
現在市場に見られるジユース、コーラ、スープなど液体飲料用の飲料容器は、容器本体をシート状のフタ材で密封して形成された飲料容器が多く見られる。
【０００３】
これらの飲料容器は、フタ材にストローを突き刺して飲んだり、もしくは、フタ材をむしる、もしくははがして飲む形態になっている。ウォーマーなどによるホット販売や、レンジで加熱して飲むことを考えると、ストローでは熱くて飲むことが出来ない。フタ材を剥いて飲む場合には、こぼれたり、やけどをしたりする危険性がある。
【０００４】
また、コップ容器のフタをはがして飲む場合、そのシーリング具合（特に、ヒートシールの場合など。）によっては、フタ材が貼られているフランジ面の端面が鋭利になってしまうことがあり、飲む際に口を切ってしまうことがある。
【０００５】
容器本体をシート状のフタ材で密封して形成された飲料容器において、消費者が上記のとおりの問題なしで、飲料を飲むことができる構成を提供することが望まれる。
【０００６】
他方、密封用のシート状のフタ材を用いない飲料容器は、下記の点において、望ましくない。
【０００７】
例えば、無菌充填システムによって、飲料が充填された飲料容器を製造することが広く行われている。この無菌充填システムによって飲料容器を製造すると、飲料が充填された後に、飲料容器が加熱処理されないため、飲料の味、風味等を良好に維持するこができる。無菌充填システムにおいて飲料を容器に充填するとき、容器が殺菌処理される。容器の材料がプラスチックの場合、高温加熱による殺菌処理をすることができない。このため、無菌充填システムにいおいて飲料を容器に充填する前に、容器は薬液及び洗浄液によって殺菌洗浄処理される。容器を構成する部材の形状が複雑であると、殺菌洗浄処理を適切に行うことができないので、容器を構成する部材は、単純な形状、例えば、コップ形状の容器本体及び容器本体を密封するシート状部材のフタ材によって構成されるのが好ましく、シート状部材であるフタ材用いないで、容器本体と複雑な形状を有するキャップを直接熔融もしくは接着するような容器形態は、殺菌の保証の問題から好ましくない。
【０００８】
【課題を解決するための手段】
本発明に従うと、上記のとおりの課題を解決するために、
容器本体及び容器本体に密封接合されたフタ材を備えた密封容器と、密封容器上に配置されたキャップとを具備し、
該キャップが、フタ材を破り、飲料を飲むための開口を形成するための機構を備えていることを特徴とする飲料が充填されている飲料容器
が提供される。
【０００９】
本願発明に従う飲料容器においては、容器本体及び容器本体に密封接合されたフタ材を備えた密封容器に飲料が例えば無菌充填システムによって充填される。
【００１０】
容器本体は、ＰＰ、ＰＥＴ、ＰＥ、ＰＳなどのプラスチック、ガラス、金属、紙などによって形成することができる。
【００１１】
フタ材は、アルミ箔、蒸着複合シート、ラミネートフイルム等のシート状部材によって、形成される。
【００１２】
キャップは、ＰＰ、Ｌ．ＬＤＰＥ（リニアローデンポリエチレン）、ＬＤＰＥ（低密度ポリエチレン）などのプラスチックなどによって形成することができる。
【００１３】
【実施例】
次に、添付図面を参照して、本発明の好適実施例を説明する。
【００１４】
第１の実施例
図１〜３を参照して、第１の実施例に従う飲料容器１０を説明する。
【００１５】
この飲料容器１０は、コップ本体１２とフタ材１４とからなる密封容器１６、及びキャップ１８とを具備する。
【００１６】
密封容器１６には、例えば、無菌充填システムによって、滅菌された飲料が充填されている。コップ本体１２には、フタ材１４が、熱圧着等により接合されており、密封容器１６の内部は、外部から密封されている。
【００１７】
コップ本体１２は、その上部に、フランジ１９及びフランジ１９の外周縁から下方に延びている外側壁２０を有する。外側壁２０は、キャップ１８を支持する、径方向即ち半径方向外側に突出した複数の支持部２２を備えている。支持部は、円周上に３箇所以上設けるのが好ましい。偶数個設ける場合には、直径方向の両端に対になるように、設けるのが好ましい。この実施例では、４つの支持部を有し、図１には、その２つの支持部のみが示されている。支持部２２は、図１〜３に示したとおり、下方に凹んでおり平坦な底面を有する凹部２４と、凹部２４の左右両側の凸状部２６とを有する。凸状部２６は、凹部２４の底面から略垂直に上昇する側面と半円状の上端部と下方に傾斜する傾斜部とを有する。
【００１８】
キャップ１８は、上部に位置する天井部２８とコップ本体１２の外側壁２０を覆う側壁３０とを有する。天井部２８には、下方に延びている円筒状の飲み口部３２が設けられている。飲み口部３２は、円筒状に限らず、種々の断面形状の筒状の部材から構成することができる。側壁３０には、半径方向内側に略矩形状に凹んでおり内側から見ると突出しているリブ３４が設けられている。リブ３４は、外側から見れば凹んだ形状であり、内側から見れば、突出した形状である。リブ３４は、コップ本体１２の支持部２２と同じ数設けられ、リブ３４の下方部分は、支持部２２の凹部２４を合致した形状を有する。図２に示したとおり、側壁３０の内側面には、円周方向に延びている細長い凸部である嶺部３６が設けられている。図２に示された状態では、嶺部３６は、支持部２２の下端に接している。
【００１９】
飲料容器１０は、消費者に提供される時点においては、図２に示した状態にある。即ち、コップ本体１２とフタ材１４とからなる密封容器１６内には、飲料が収容されており、キャップ１８は、リブ３４の可動部分が、支持部２２の凹部２４に乗っている状態の位置にある。キャップ１８の飲み口部３２の下端３８はフタ材１４の上方に位置し、フタ材１４には接していない。キャップ１８のリブ３４は、コップ本体１２の支持部２２の凹部２４内に配置されているため、弱い力を加えた場合では、キャップ１８は、下方に下げることはできず、その中心軸線の周りを回すこともできない。また、キャップ１８の側壁３０の内側に設けられた嶺部３６は、支持部２２の下端に接しているため、弱い力を加えた場合では、キャップ１８を上方に上げることはできない。
【００２０】
コップ本体１２及びキャップ１８は、例えばプラスチックで形成されており、キャップ１８の中心軸の周りに、人の手で加えることができる範囲の比較的強い回転力を加えると、リブ３４が凸部２６を乗り越えるので、キャップ１８は、その中心軸の周りに回転することができる。キャップ１８を回転して、キャップ１８のリブ３４を、コップ本体の２つの支持部２２の中間に位置に移動させた後に、キャップ１８を押し下げると、キャップ１８に設けられた飲み口部３２の下端がフタ材１４を破り、図３に示した状態になる。この状態にて、消費者は飲み口部３２から飲料を飲むことができる。
【００２１】
フタ材１４を破った後に、飲料がコップ本体１２とキャップ１８との間からこぼれないように、キャップ１８を押し下げた後に、コップ本体１２とキャップ１８とのが密着するように構成されている。
【００２２】
第２の実施例
図４〜７を参照して、第２の実施例に従う飲料容器１１０を説明する。
【００２３】
この飲料容器１１０は、コップ本体１１２とフタ材１１４とからなる密封容器１１６、及びキャップ１１８とを具備する。
【００２４】
密封容器１１６には、滅菌された飲料が充填されており、コップ本体１１２には、フタ材１１４が、熱圧着等により接合されている。
【００２５】
コップ本体１１２は、その上部に、フランジ１１９を有する。フランジ１１９には、等しい角度間隔で、４つの半円形の凹部１４０を有する。
【００２６】
キャップ１１８は、上部に位置する天井部１２８とコップ本体１１２のフランジ１１９を覆う側壁１３０とを有する。天井部１２８には、下方に延びている筒状の飲み口部１３２が設けられている。飲み口部１３２の下端１３８は、フタ材１１４を破り易いように、ギザギザになっている。側壁１３０には、半径方向内側に突出した半円形断面のリブ１３４が設けられている。リブ１３４は、コップ本体１１２の凹部１４０と同じ数設けられ、キャップ１１８をコップ本体１１２に対して回転して、リブ１３４と凹部１４０が一致した位置になると、４つのリブ１３４がそれぞれの凹部１４０を通って下方に移動できるように、リブ１３４と凹部１４０が、配置され、寸法付けられている。図６に示したとおり、側壁１３０の下方端の内側に円周方向に延びる下方嶺部１４２が設けられており、図７に示したとおり、側壁１３０の下方端付近の内側にリブ１３４の間において円周方向に延びる上方嶺部１４４が設けられている。
【００２７】
飲料容器１１０は、消費者に提供される時点においては、図６に示した状態にある。即ち、密封容器１１６内には、飲料が収容されており、キャップ１１８は、コップ本体１１２のフランジ１１９を覆う位置にある。キャップ１１８の飲み口部１３２の下端１３８は、フタ材１１４の上方に位置し、フタ材１１４には接していない。キャップ１１８のリブ１３４と、コップ本体１１２の凹部１４０とは一致した位置にない。図６に示したとおり、コップ本体１１２のフランジ１１９の上面は、キャップ１１８のリブ１３４の下端に接しており、キャップ１１８は、密封容器１１６に対して下方に移動できない。また、コップ本体１１２のフランジ１１９の下面は、側壁１３０の下方嶺部１４２に接しており、弱い力を加えた場合では、キャップ１１８は、密封容器１１６に対して上方に移動できない。強い力を加えると、キャップ１１８は、変形して、密封容器１１６に対して上方に移動でき、キャップ１１８を密封容器から外すことができる。上記のとおり、コップ本体１１２のフランジ１１９は、キャップ１１８のリブ１３４の下端と側壁１３０の下方嶺部１４２とに挟まれており、これらに圧接しているため、弱い力を加えた場合では、キャップ１１８は、密封容器１１６に対して中心軸の周りに回転することはできない。
【００２８】
キャップ１１８に、中心軸の周りに、人の手で加えることができる範囲の比較的強い回転力を加え、キャップ１１８を回転して、キャップ１１８のリブ１３４を、コップ本体１１２の凹部１４０と一致した位置に移動させる。そして、キャップ１１８を押し下げると、キャップ１１８に設けられた飲み口部１３２の下端１３８がフタ材１１４を破り、図７に示した状態になり、フランジ１１９は、キャップ１１８の側壁１３０の上方嶺部１４４の上方に移動し、この位置に保持される。この状態にて、消費者は飲み口部１３２から飲料を飲むことができる。
【００２９】
第３の実施例
図８〜１１を参照して、第３の実施例に従う飲料容器２１０を説明する。第３の実施例に従う飲料容器２１０は、第１及び２の実施例に従う飲料容器と類似した構造を有するので、主に、これらと相違する点を説明する。
【００３０】
コップ本体２１２の外側壁２２０には、等しい角度間隔で、Ｌ字状棚からなる６つの支持部２２２が設けられている。支持部２２２は、水平部２４６と鉛直部２４８とを有し、これらが略Ｌを形成している。
【００３１】
キャップ２１８の天井部２２８には、下方に延びている円筒状の飲み口部２３２が設けられている。キャップ２１８の側壁２３０には、半径方向内側に突出した半円形断面のリブ２３４が設けられている。リブ２３４は、１つの支持部２２２の水平部２４６の上に２つ配置され、従って１２個設けられている。
【００３２】
支持部２２２及びリブ２３４の配置位置及び数は、この態様に限定されるものではなく、適宜変更することができる。
【００３３】
１つ水平部２４６の上に配置される２つのリブ２３４の間の間隔は、水平部２４６の長さより若干短く、鉛直部２４８が設けられていない側の水平部２４６の端部から隣接するＬ字状棚の２２０鉛直部２４８までの長さＬ１よりも若干短い。従って、キャップ２１８を少し回転させると、まず、水平部２４６の上に配置された２つのリブ２３４の一方は、水平部２４６から外れる。しかし、２つのリブ２３４の他方は、水平部２４６に残るので、キャップは押し下げることはできない。更にキャップ２１８を回転させると、他方のリブ２３４も、水平部２４６から外れ、２つのリブ２３４が、鉛直部２４８が設けられていない側の水平部２４６の端部と隣接する支持部２２２の鉛直部２４８との間に位置することになり、キャップ２１８を押し下げることができる。
【００３４】
また、この実施例に従う飲料容器２１０のキャップ２１８の下端には、袖部２５０が設けられている。図１０に示したとおり、袖部２５０には、密封容器２１６上にキャップ２１８を配置したとき、支持部２２２の水平部２４６の下に位置する円周方向に延びている下方嶺部２５２が、設けられている。密封容器２１６に対してキャップ２１８に上方に弱い力を加えても、この下方嶺部２５２が設けられているので、キャップ２１８を密封容器２１６から外すことができない。
【００３５】
図１０に示したとおり、密封容器２１６上にキャップ２１８を配置したとき、支持部２２２の水平部２４６の上に位置する円周方向に延びている溝によって形成された肉薄の部分である切断線２５４よって、袖部２５０がキャップ２１８の本体と連結されている。図１０に示した袖部２５０の一方の端に設けられたつまみ部２５６つまみ、半径方向外側に引っ張ることより、切断線２５４によって、袖部２５０がキャップ２１８の本体から徐々に分離され、ついには、袖部２５０がキャップ２１８の本体から完全に分離される。この状態で、密封容器２１６に対してキャップ２１８に上方に力を加えれば、キャップ２１８を密封容器２１６から外すことができる。
【００３６】
飲料容器２１０は、消費者に提供される時点においては、図１０に示した状態にある。キャップ２１８に、中心軸の周りに右方向（上から見て時計回転方向）に回転力を加えて、回転させると、支持部２２２の水平部２４６の上に位置していた２つのリブ２３４が、隣接する２つの支持部２２２の間に移動し、この位置において、キャップ２１８を押し下げると、キャップ２１８に設けられた飲み口部２３２の下端２３８がフタ材２１４を破り、図１１に示した状態になり、外側壁２２０は、キャップ２１８の側壁２３０の上方嶺部２５９の上方に移動し、この位置に保持される。この状態にて、消費者は飲み口部２３２から飲料を飲むことができる。
【００３７】
第４の実施例
図１２〜１４を参照して、第４の実施例に従う飲料容器３１０を説明する。第４の実施例に従う飲料容器３１０は、第１〜３の実施例に従う飲料容器と類似した構造を有するので、主に、これらと相違する点を説明する。
【００３８】
コップ本体３１２の外側壁３２０には、３つの台形の支持部３２２が設けられている。支持部３２２の数は、これに限定されない。支持部３２２は、水平の頂部平面３５８と左斜面３６０及び右斜面３６２と水平の底部平面３６４とを有する。更に、コップ本体３１２の外側壁３２０には、支持部３２２の頂部平面３５８の上部左右において、半径方向外側に突出している半円形断面の左凸部３６６及び右凸部３６８が設けられている。
【００３９】
キャップ３１８の側壁３３０には、支持部３２２に対応する位置に３つのリブ３３４が設けられている。リブ３３４は、半径方向内側に突出した略直方体形状を有する。図１３に示したとおり、リブ３３４の幅は、左凸部３６６と右凸部３６８との間隔に略等しい。
【００４０】
更に、図１２に示したとおり、キャップ３１８の側壁３３０には、リブ３３４の間において中間高さ位置において内側に突出している中間凸部３７０と、リブ３３４の左右に隣接して下方位置において内側に突出している下方凸部３７２とを有する。
【００４１】
飲料容器３１０は、消費者に提供される時点においては、図１３に示した状態にある。即ち、キャップ３１８のリブ３３４が、コップ本体３１２の左凸部３６６と右凸部３６８の間に位置しており、リブ３３４の底部は支持部３２２の頂部平面３５８に接している。このため、弱い力では、キャップ３１８は、コップ本体３１２に対して中心軸の周りに回転せず、下方に力を加えても、コップ本体３１２に対して下方に移動しない。更に、キャップ３１８の下方凸部３７２が、支持部３２２の底部平面３６４に接しているので、キャップ３１８は、弱い力では、コップ本体３１２に対して上方に移動しない。
【００４２】
キャップ３１８に、中心軸の周りに強い回転力を加えて、例えば右に回転させると、キャップ３１８及びコップ本体３１２が若干変形し、キャップ３１８のリブ３３４が、コップ本体３１２の左凸部３６６を乗り越える。そして、キャップ３１８のリブ３３４の下端が、支持部３２２の一方の左斜面３６０に接触しながら移動する。
【００４３】
これらの移動によって、キャップ３１８は、図１３に示した位置から、コップ本体３１２に対して、高さ位置を維持したまま少し右に回転し、そして、右に回転しながら徐々に降下し、図１４に示した位置に移動する。このとき、キャップ３１８の中間凸部３７０が、左に位置していた支持部３２２の下に入り込み、支持部２２２の底部平面３６４に接する位置になる。この状態においては、キャップ３１８は、弱い力では、コップ本体３１２に対して上方に移動しない。
【００４４】
図１４に示した状態にて、消費者は飲み口部３３２から飲料を飲むことができる。
【００４５】
キャップ３１８は、上記のとおりの移動をするので、密封容器３１６のフタ材３１４は、太い円弧状の開口が形成されることになる。
【００４６】
第５の実施例
図１５〜１７を参照して、第５の実施例に従う飲料容器３１１を説明する。第４の実施例に従う飲料容器３１１は、第１〜４の実施例に従う飲料容器と類似した構造を有するので、主に、これらと相違する点を説明する。
【００４７】
コップ本体３１３の外側壁３２１には、３つの台形の支持部３２３が設けられている。支持部３２３は、水平の頂部平面３５９と左斜面３６１と水平の底部平面３６５とを有する。第４の実施例と異なり、右斜面はない。更に、コップ本体３１３の外側壁３２１には、支持部３２３の頂部平面３５９の上部左において、半径方向外側に突出している半円形断面の左凸部３６７が設けられており、支持部３２３の頂部平面３５９の上部右において、左凸部３６７に比べ大きく半径方向外側に突出している矩形断面の右凸部３６９が設けられている。
【００４８】
キャップ３１９の側壁３３１には、支持部３２３に対応する位置に３つのリブ３３５が設けられている。リブ３３５は、半径方向内側に突出した略直方体形状を有する。更に、リブ３３５の下方端内側には内側に突出し円周方向に延びている嶺部３７５を有する。図１６に示したとおり、リブ３３５の幅は、左凸部３６７と右凸部３６９との間隔に略等しい。
【００４９】
更に、図１５に示したとおり、キャップ３１９の側壁３３１には、リブ３３５の間において側壁３３１の高さの全長にわたり延びている中間凸部３７１を有し、この中間凸部３７１の下方端内側には内側に突出し周方向に延びている嶺部３７７を有する。
【００５０】
飲料容器３１１は、消費者に提供される時点においては、図１６に示した状態にある。即ち、キャップ３１９のリブ３３５が、コップ本体３１３の左凸部３６７と右凸部３６９の間に位置している。このため、左方向（上から見て反時計回転方向）に強い回転力を加えても、リブ３３５の嶺部３７５が矩形断面の右凸部３６９に当たり回転しない。右方向には弱い回転力を加えた場合には、リブ３３５の嶺部３７５が半円形断面の左凸部３６７に当たり回転しない。リブ３３５の嶺部３７５の底部が支持部３２３の頂部平面３５９に接しているため、下方に力を加えても、コップ本体３１３に対して下方に移動しない。更に、キャップ３１９の中間凸部３７１の嶺部３７７が、キャップ３１９の外壁部３３１の下端に接しているため、キャップ３１８は、弱い力では、コップ本体３１３に対して上方に移動しない。
【００５１】
キャップ３１９に、中心軸の周りに強い回転力を加えて、右に回転させると、キャップ３１９及びコップ本体３１３が若干変形し、キャップ３１９のリブ３３５の嶺部３７５が、コップ本体３１３の左凸部３６７を乗り越える。そして、キャップ３１９のリブ３３５の下端が、支持部３２３の左斜面３６１に接触しながら移動する。
【００５２】
これらの移動によって、キャップ３１９は、図１６に示した位置から、コップ本体３１３に対して、高さ位置を維持したまま少し右に回転し、そして、右に回転しながら徐々に降下し、図１７に示した位置に移動し、飲み口部３３３がフタ材３１５を破る。このとき、キャップ３１９の中間凸部３７１の左側部が、隣接するリブ３３５の右側部に当たるため、これ以上右に回転できない。そして、今度は、キャップ３１９を左に回転すると、リブ３３５の嶺部３７５が、支持部３２３の下に入り込み、リブ３３５の嶺部３７５が、支持部３２３の底部平面３６５に接する位置になる。この位置においては、キャップ３１９は、弱い力では、コップ本体３１３に対して上方に移動しない。
【００５３】
この位置において、消費者は飲み口部３３３から飲料を飲むことができる。
【００５４】
第６の実施例
図１８〜２０を参照して、第６の実施例に従う飲料容器４１０を説明する。第６の実施例に従う飲料容器４１０は、第１〜５の実施例に従う飲料容器と類似した構造を有するので、主に、これらと相違する点を説明する。
【００５５】
コップ本体４１２の外側壁４２０には、等しい角度間隔で、４つの棚状の支持部４２２が設けられている。支持部４２２は、右端の上部鉛直壁４６４と、上部鉛直壁４６４の下端に連結された上部水平壁４６６と、上部水平壁４６６の左端に連結された傾斜壁４６８と、傾斜壁４６８の下端に連結された下部水平壁４７０と、下部水平壁４７０の左端に連結された下部鉛直壁４７２によって構成されている。
【００５６】
キャップ４１８の側壁４３０には、等しい角度間隔で、４つのリブ４３４が設けられている。リブ４３４は、半径方向内側に突出しており、半円形断面を有する。
【００５７】
飲料容器４１０は、消費者に提供される時点においては、図１９に示した状態にある。即ち、キャップ４１８のリブ４３４が、支持部４２２の上部鉛直壁４６４に接触して、上部水平壁３６６上に位置している。
【００５８】
キャップ４１８に、中心軸の周りに回転力を加えて、矢印で示したとおりに右に回転させると、キャップ４１８のリブ４３４が、上部鉛直壁４６４に接触した上部水平壁４６６上の位置から、上部水平壁４６６上を左に移動し、傾斜壁４６８に沿って徐々に降下し、飲み口部４３２がフタ材４１４を破る。そして、キャップ４１８のリブ４３４は、下部水平壁４７０に沿って左に進み、図２０に示したとおりの下部鉛直壁４７２に接触した下部水平壁４７０上の位置に至る。図２０に示した状態にて、消費者は飲み口部４３２から飲料を飲むことができる。
【００５９】
第７の実施例
図２１には、第６の実施例を若干修正した第７の実施例が示されている。この第７の実施例に従う飲用容器４０９は、コップ本体４１２の外側壁４２０に上下方向の延びる半円断面形状の凸部４７４を備えている。この凸部４７４は、支持部４１９の上部水平壁４６６の左端の上部に位置する。飲料容器４０９は、消費者に提供される時点においては、キャップ４１８に設けられたリブ４３４が、上部鉛直壁４６４と凸部４７４との間に位置に保持されている。キャップ４１８を比較的強い力で矢印に示したとおりの右方向に回転すると、コップ本体４１２及びキャップ４１８がそれぞれ半径方向内側及び外側に若干変形することによって、キャップ４１８に設けられたリブ４３４が、凸部４７４を越え進む。以後の作動は、第６の実施例に従う飲用容器４１０と同様である。
【００６０】
第８の実施例
図２２も、第６の実施例を若干修正した第８の実施例が示されている。この第８の実施例に従う飲用容器４１１は、上部水平壁４６６の左端に半径方向の延びる半円断面形状の凸部４７６を備えている。飲料容器４１１は、消費者に提供される時点においては、キャップ４１８に設けられたリブ４３４が、上部鉛直壁４６４と凸部４７６との間に位置している。キャップ４１８を比較的強い力で矢印に示したとおりの右方向に回転すると、キャップ４１８及び上部水平壁４６６がそれぞれ上下方向に若干変形することによって、キャップ４１８に設けられたリブ４３４が、凸部４７６を越え進む。以後の作動は、第６の実施例に従う飲用容器４１０と同様である。
【００６１】
第９の実施例
図２３〜２５を参照して、第９の実施例に従う飲料容器５１０を説明する。第９の実施例に従う飲料容器５１０は、第１〜８の実施例に従う飲料容器と類似した構造を有するので、主に、これらと相違する点を説明する。
【００６２】
飲料容器５１０のコップ本体５１２の上端の外周には、ねじ山５７８とねじ山５７８の下に位置する棚部５８０とを備えている。棚部５８０は、その端部のつまみ部５８２を半径方向外側に引っ張ることによって、切断線５８６に沿ってコップ本体５１２から切り離すことができる。
【００６３】
キャップ５１８の側壁５３０の内面には、コップ本体５１２のねじ山５７８と螺合するねじ山５８４が設けられている。
【００６４】
飲料容器５１０は、消費者に提供される時点においては、図２４に示した状態にある。即ち、キャップ５１８の側壁５３０の下端が、コップ本体５１２の棚部５８０の上面に接している。このため、キャップ５１８は、下に移動するように回転することができない。
【００６５】
飲料を飲むときは、棚部５８０の端部のつまみ部５８２を半径方向外側に引っ張り、棚部５８０を、コップ本体５１２からむしり取る。そして、キャップ５１８を右方向に回転する。これによって、キャップ５１８は徐々に降下し、飲み口部５３２がフタ材５１４を破り、消費者は、飲み口部５３２からコップ本体５１２内の飲料を飲むことができる。
【００６６】
第１０の実施例
図２６〜２８を参照して、第１０の実施例に従う飲料容器６１０を説明する。第１０の実施例に従う飲料容器６１０は、第１〜９の実施例に従う飲料容器と類似した構造を有するので、主に、これらと相違する点を説明する。
【００６７】
飲料容器６１０のコップ本体６１２の上端の外周には、キャップ６１８の内側設けられたねじ山と螺合するねじ山６７８とねじ山６７８の下に位置する複数個の棚部６８０とを備えている。棚部６８０は、図２６に示したとおり、隣接する棚部６８０との間に間隙を有する。棚部６８０の各々は、コップ本体６１２の外側壁６２０の下端に肉薄部６８２において連結されている。
【００６８】
コップ本体６１２の複数個の棚部６８０は、キャップ６１８の下端で、比較的弱い力によって下方に押された場合には、変形しないが、比較的強い力によって下方に押された場合には、棚部６８０はそれぞれの肉薄部６８２を中心に９０°回転して、棚部６８０は、図２７に示したとおりの水平方向から、図２８に示したとおりの鉛直方向に向きが変わる。
【００６９】
飲料容器６１０は、消費者に提供される時点においては、図２７に示した状態にある。即ち、キャップ６１８の側壁６３０の下端が、コップ本体６１２の複数の棚部６８０の上面に接している。このため、キャップ６１８は、弱い力では、下に移動するように回転することができない。
【００７０】
飲料を飲むときは、キャップ６１８を強い力で回転する。キャップ６１８の下端が、複数個の棚部６８０を押し下げ、棚部６８０はそれぞれの肉薄部６８２を中心に９０°回転する。これによって、キャップ６１８は徐々に降下し、飲み口部６３２がフタ材を６１４を破り、消費者は、飲み口部６３２からコップ本体６１２内の飲料を飲むことができる。
【００７１】
第１１の実施例
図２９には、第１０の実施例を若干修正した第１１の実施例に従う飲料容器６１１が示されている。この第１１の実施例に従う飲料容器６１１においては、棚部６８０の外側端が、それに隣接する棚部の外側端につなぎ部６８４によって連結されている。
【００７２】
このつなぎ部６８４を設けることによって、棚部６８０が薄肉部６８２において折り畳まれるときに、複数の棚部６８０が同時にもしくは次々と折り畳まれるため、安定した締め込み、畳み込みを行うことができる。
【００７３】
飲み口部の変形態様
図３０〜３９には、飲み口部の変形態様が示されており、これらの飲み口部は、第１乃至第１１の実施例に従う飲料容器の飲み口部として使用でき、特に、キャップが密封容器の中心軸の周りを回転し、同時に押し下げられる実施例、即ち第４乃至第１１の実施例に従う飲料容器に好適に用いることができる。
【００７４】
図３０及び３１に示した飲料容器は、キャップ１８の天井部２８から下方に延びている飲み口部６８６を有する。この飲み口部６８６は、全体として、円筒形をしており、斜めに切断された下方端を有する。キャップ１８が押し下げられるとき、飲み口部６８６の下方端によって、密封容器１６のフタ材１４を容易に破ることができる。
【００７５】
図３２及び３３に示した飲料容器は、キャップ１８の天井部２８から下方に延びている飲み口部６８８を有する。この飲み口部６８８は、円筒形部分の下方内側に、下方に切断縁を有する略三角形部材６８９が固定されている。キャップ１８が押し下げられるとき、略三角形部材６８９の下方の切断縁によって、密封容器１６のフタ材１４を容易に破ることができる。
【００７６】
図３４及び３５に示した飲料容器は、キャップ１８の天井部２８から下方に延びている飲み口部６９０を有する。この飲み口部６９０の上方部分は、円筒形部分６９２であり、下方部分は、四角断面形状を有する筒状部分６９４になっている。キャップ１８が押し下げられるとき、四角断面形状を有する筒状部分６９４の下方の角部によって、密封容器１６のフタ材１４を容易に破ることができる。
【００７７】
図３６及び３７に示した飲料容器は、キャップ１８の天井部２８から下方に延びている飲み口部６９６を有する。この飲み口部６９６は、下方に向けて、１つの直径方向の幅が徐々に狭くなり、この直径方向と垂直な方向の幅は変わらない形状（図３７参照）を有する。上記幅が徐々に狭くなる飲み口部６９６の直径方向は、キャップ１８の半径方向と一致する方向であるのが好ましい。キャップ１８が押し下げられるとき、図示した態様では、キャップ１８は、その中心軸を中心に回転し、飲み口部６９６の下方端の狭くなった縁６９７が、密封容器１６のフタ材１４を破る。
【００７８】
図３８及び３９に示した飲料容器は、キャップ１８の天井部２８から下方に延びている飲み口部６９８を有する。この飲み口部６９８は、下方部分は、全体として斜めに傾斜した形状を有する。キャップ１８が押し下げられるとき、図示した態様では、キャップ１８は、その中心軸を中心に回転し、飲み口部６９８の下方端の鋭角になった縁６９９が、密封容器１６のフタ材１４を破る。
【００７９】
第１２の実施例
図４０〜４４を参照して、第１２の実施例に従う飲料容器７１０を説明する。第１２の実施例に従う飲料容器７１０は、第１〜１１の実施例に従う飲料容器と類似した構造を有するので、主に、これらと相違する点を説明する。
【００８０】
キャップ７１８の周縁が、コップ本体７１２の上端に、融着、接着剤等によって固定されている。
【００８１】
キャップ７１８には、１つの押込み部７５２を有する。この押込み部７５２の底面は図４１に示したとおり５角形をしており、下方の辺は、キャップ７１８の中心軸をとおる直径方向に延びている下記のとおりのヒンジ７５４を形成している。この押込み部７５２の底面の他の４つの辺には、肉薄部７５６が形成されている。押込み部７５２の、ヒンジ７５４側に３つの嶺７５８が設けられていて、押込み部７５２が押されたとき、変形しないようになっている。また、図４３に示したとおり、押込み部７５２のヒンジ７５４近くの下面には、ボス７６０が設けられている。
【００８２】
図４２に示したとおり、キャップ７１８の押込み部７５２近く下面には、ボス７６０を収容する溝７６２を有する固定壁７６４が設けられている。溝７６２は、末広の肩部７６６と狭い首部７６８と円形の頭部７７０とを有する。溝７６２の末広の肩部７６６の断面形状は、ボス７６０の断面形状よりも大きく、狭い首部７６８の断面形状はボス７６０の断面形状よりも若干小さく、円形の頭部７７０の断面形状はボス７９６０の断面形状とほぼ等しい。このため、ボス７６０が、末広の肩部７６６から溝７６２に導入されると、狭い首部７６８を弾性的に押し広げ、円形の頭部７７０内に保持されることになる。
【００８３】
キャップ７１８の半径方向の、押込み部７５２の端部の下方端は、図４３に示したとり、鋭角の先端部７７２が設けられている。下記のとおりキャップ７１８が押し下げられたとき、この先端部７７２がフタ材７１４を破る。鋭角の部分は、このように押込み部７５２の先端のみに設けることも、あるいは、押込み部７５２の下方端部に肉薄部７５６に沿って設けることもできる。
飲料容器７１０は、消費者に提供される時点においては、図４３に示した状態にある。飲料を飲むときは、キャップ７１８の押込み部７５２を強い力で下方に押す。これによって、押込み部７５２の回りの肉薄部７５６が切断され、押込み部７５２は、ヒンジ７５４を中心に旋回し、押込み部７５２の先端部７７２がフタ材７１４を破り、消費者は、押込み部７５２によって開けられた開口からコップ本体７１２内の飲料を飲むことができる。先端部７７２は、押込み部の開口形状に沿ったものでも良いし、一部分でもかまわない。又、ノコギリ状形状などでも良く、フタ材を開けることを目的とする。押込み部７５２を図４４に示した位置まで旋回させることによって、押込み部７５２の下面に設けられたボス７６０が、固定壁７６４の頭部７７０内に収容され、その位置を保持され、押込み部７５２が押し下げられた位置に保持される。
【００８４】
【発明の効果】
上記のとおり、本発明に従う飲料が充填されている飲料容器は、容器本体及び容器本体に密封接合されたフタ材を備えた密封容器を具備するため、飲料を比較的簡易な方法で充填することができる。そして、キャップが、フタ材を破り、飲料を飲むための開口を形成するための機構を備えているから、消費者は、飲料をこぼしたりすることなく、容易に飲料を飲むための開口を形成することができる。
【図面の簡単な説明】
【図１】本発明の第１の実施例に従う飲料容器の斜視図。
【図２】本発明の第１の実施例に従う飲料容器の、飲料を飲むための開口を形成する前の構成を示す図。
【図３】本発明の第１の実施例に従う飲料容器の、飲料を飲むための開口を形成した後の構成を示す図。
【図４】本発明の第２の実施例に従う飲料容器の斜視図。
【図５】本発明の第２の実施例に従う飲料容器の平面図。
【図６】本発明の第２の実施例に従う飲料容器の、飲料を飲むための開口を形成する前の構成を示す図。
【図７】本発明の第２の実施例に従う飲料容器の、飲料を飲むための開口を形成した後の構成を示す図。
【図８】本発明の第３の実施例に従う飲料容器の斜視図。
【図９】本発明の第３の実施例に従う飲料容器の平面図。
【図１０】本発明の第３の実施例に従う飲料容器の、飲料を飲むための開口を形成する前の構成を示す図。
【図１１】本発明の第３の実施例に従う飲料容器の、飲料を飲むための開口を形成した後の構成を示す図。
【図１２】本発明の第４の実施例に従う飲料容器の斜視図。
【図１３】本発明の第４の実施例に従う飲料容器の、飲料を飲むための開口を形成する前の構成を示す図。
【図１４】本発明の第４の実施例に従う飲料容器の、飲料を飲むための開口を形成した後の構成を示す図。
【図１５】本発明の第５の実施例に従う飲料容器の斜視図。
【図１６】本発明の第５の実施例に従う飲料容器の、飲料を飲むための開口を形成する前の構成を示す図。
【図１７】本発明の第５の実施例に従う飲料容器の、飲料を飲むための開口を形成した後の構成を示す図。
【図１８】本発明の第６の実施例に従う飲料容器の斜視図。
【図１９】本発明の第６の実施例に従う飲料容器の、飲料を飲むための開口を形成する前の構成を示す図。
【図２０】本発明の第６の実施例に従う飲料容器の、飲料を飲むための開口を形成した後の構成を示す図。
【図２１】本発明の第７の実施例に従う飲料容器の斜視図。
【図２２】本発明の第８の実施例に従う飲料容器の斜視図。
【図２３】本発明の第９の実施例に従う飲料容器の斜視図。
【図２４】本発明の第９の実施例に従う飲料容器の、飲料を飲むための開口を形成する前の構成を示す図。
【図２５】本発明の第９の実施例に従う飲料容器の、飲料を飲むための開口を形成した後の構成を示す図。
【図２６】本発明の第１０の実施例に従う飲料容器の斜視図。
【図２７】本発明の第１０の実施例に従う飲料容器の、飲料を飲むための開口を形成する前の構成を示す図。
【図２８】本発明の第１０の実施例に従う飲料容器の、飲料を飲むための開口を形成した後の構成を示す図。
【図２９】本発明の第１１の実施例に従う飲料容器の斜視図。
【図３０】本発明に飲料容器の飲み口部の変形態様を示す斜視図。
【図３１】図３０に示した本発明に飲料容器の飲み口部の変形態様の部分断面図。
【図３２】本発明に飲料容器の飲み口部の他の変形態様を示す斜視図。
【図３３】図３２に示した本発明に飲料容器の飲み口部の変形態様の部分断面図。
【図３４】本発明に飲料容器の飲み口部の変形態様を示す斜視図。
【図３５】図３４に示した本発明に飲料容器の飲み口部の変形態様の部分断面図。
【図３６】本発明に飲料容器の飲み口部の変形態様を示す斜視図。
【図３７】図３６に示した本発明に飲料容器の飲み口部の変形態様の部分断面図。
【図３８】本発明に飲料容器の飲み口部の変形態様を示す斜視図。
【図３９】図３８に示した本発明に飲料容器の飲み口部の変形態様の部分断面図。
【図４０】本発明の第１２の実施例に従う飲料容器の斜視図。
【図４１】本発明の第１２の実施例に従う飲料容器の平面図。
【図４２】本発明の第１２の実施例に従う飲料容器の、飲料を飲むための開口を形成する前の構成を示す断面図。
【図４３】本発明の第１２の実施例に従う飲料容器の、飲料を飲むための開口を形成する前の構成を示す他の面における断面図。
【図４４】本発明の第１２の実施例に従う飲料容器の、飲料を飲むための開口を形成した後の構成を示す断面図。
【符号の説明】
１０、１１０、２１０、３１０、４１０、５１０、６１０、７１０：飲料容器
１２、１１２、２１２、３１２、４１２、５１２、６１２、７１２：コップ本体
１４、１１４、２１４、３１４、４１４、５１４、６１４、７１４：フタ材
１６、１１６：密封容器
１８、１１８、２１８、３１８、４１８、５１８、６１８、７１８：キャップ
１９、１１９：フランジ
２０、２２０、３２０、４２０、６２０：外側壁
２２、２２２、３２２、４２２：支持部
２４：凹部
２６：凸部
２８、１２８、２２８：天井部
３０、１３０、２３０、３３０、４３０、５３０、６３０：側壁
３２、１３２、２３２、３３２、４３２、５３２、６３２：飲み口部
３４、１３４、２３４、３３４、４３４：リブ
３８、１３８、２３８：下端
１４０：凹部
１４２：嶺部
１４４：嶺部
２４６：水平部
２４８：鉛直部
２５０：袖部
２５２：下方嶺部
２５４：切断線
２５６：つまみ部
２５７：上方嶺部
３５８：頂部平面
３６０：左斜面
３６２：右斜面
３６４：底部平面
３６６：左凸部
３６８：右凸部
３７０：中間凸部
３７２：下方凸部
３５９：頂部平面
３６１：左斜面
３６５：底部平面
３６７：左凸部
３６９：右凸部
３７１：中間凸部
３７５：嶺部
３７７：嶺部
４６４：上部鉛直壁
４６６：上部水平壁
４６８：傾斜壁
４７０：下部水平壁
４７２：下部鉛直壁
４７４：凸部
４７６：凸部
５７８：ネジ山
５８０：棚部
５８２：つまみ部
５８４：ネジ山
５８６：切断線
６７８：ねじ山
６８０：棚部
６８２：肉薄部
６１１：飲料容器
６８０：棚部
６８２：肉薄部
６８４：つなぎ部
７５２：押込み部
７５４：ヒンジ
７５６：肉薄部
７５８：嶺
７６０：ボス
７６２：溝
７６４：固定壁
７６６：末広部の肩部
７６８：首部
７７０：頭部
７７２：先端部
【図１】
2004099112.tif 000003
【図２】
2004099112.tif 000004
【図３】
2004099112.tif 000005
【図４】
2004099112.tif 000006
【図５】
2004099112.tif 000007
【図６】
2004099112.tif 000008
【図７】
2004099112.tif 000009
【図８】
2004099112.tif 000010
【図９】
2004099112.tif 000011
【図１０】
2004099112.tif 000012
【図１１】
2004099112.tif 000013
【図１２】
2004099112.tif 000014
【図１３】
2004099112.tif 000015
【図１４】
2004099112.tif 000016
【図１５】
2004099112.tif 000017
【図１６】
2004099112.tif 000018
【図１７】
2004099112.tif 000019
【図１８】
2004099112.tif 000020
【図１９】
2004099112.tif 000021
【図２０】
2004099112.tif 000022
【図２１】
2004099112.tif 000023
【図２２】
2004099112.tif 000024
【図２３】
2004099112.tif 000025
【図２４】
2004099112.tif 000026
【図２５】
2004099112.tif 000027
【図２６】
2004099112.tif 000028
【図２７】
2004099112.tif 000029
【図２８】
2004099112.tif 000030
【図２９】
2004099112.tif 000031
【図３０】
2004099112.tif 000032
【図３１】
2004099112.tif 000033
【図３２】
2004099112.tif 000034
【図３３】
2004099112.tif 000035
【図３４】
2004099112.tif 000036
【図３５】
2004099112.tif 000037
【図３６】
2004099112.tif 000038
【図３７】
2004099112.tif 000039
【図３８】
2004099112.tif 000040
【図３９】
2004099112.tif 000041
【図４０】
2004099112.tif 000042
【図４１】
2004099112.tif 000043
【図４２】
2004099112.tif 000044
【図４３】
2004099112.tif 000045
【図４４】
2004099112.tif 000046
【手続補正書】
【提出日】平成14年10月3日(2002.10.3)
【手続補正１】
【補正対象書類名】図面
【補正対象項目名】全図
【補正方法】変更
【補正の内容】
【図１】
2004099112.tif 000047
【図２】
2004099112.tif 000048
【図３】
2004099112.tif 000049
【図４】
2004099112.tif 000050
【図５】
2004099112.tif 000051
【図６】
2004099112.tif 000052
【図７】
2004099112.tif 000053
【図８】
2004099112.tif 000054
【図９】
2004099112.tif 000055
【図１０】
2004099112.tif 000056
【図１１】
2004099112.tif 000057
【図１２】
2004099112.tif 000058
【図１３】
2004099112.tif 000059
【図１４】
2004099112.tif 000060
【図１５】
2004099112.tif 000061
【図１６】
2004099112.tif 000062
【図１７】
2004099112.tif 000063
【図１８】
2004099112.tif 000064
【図１９】
2004099112.tif 000065
【図２０】
2004099112.tif 000066
【図２１】
2004099112.tif 000067
【図２２】
2004099112.tif 000068
【図２３】
2004099112.tif 000069
【図２４】
2004099112.tif 000070
【図２５】
2004099112.tif 000071
【図２６】
2004099112.tif 000072
【図２７】
2004099112.tif 000073
【図２８】
2004099112.tif 000074
【図２９】
2004099112.tif 000075
【図３０】
2004099112.tif 000076
【図３１】
2004099112.tif 000077
【図３２】
2004099112.tif 000078
【図３３】
2004099112.tif 000079
【図３４】
2004099112.tif 000080
【図３５】
2004099112.tif 000081
【図３６】
2004099112.tif 000082
【図３７】
2004099112.tif 000083
【図３８】
2004099112.tif 000084
【図３９】
2004099112.tif 000085
【図４０】
2004099112.tif 000086
【図４１】
2004099112.tif 000087
【図４２】
2004099112.tif 000088
【図４３】
2004099112.tif 000089
【図４４】
2004099112.tif 000090